(57)【特許請求の範囲】
【請求項１】
コネクタ用孔が設けられている光源装置本体に着脱可能であり、
内視鏡に着脱自在に電気的に接続されるコネクタと、このコネクタから入力される信号に所定の信号処理を施す信号処理回路と、前記光源装置本体に装着された状態で、該光源装置本体側の回路と前記信号処理回路とを電気的に接続する接続部とを有し、
前記コネクタと前記信号処理回路とが同一の基板に設けられており、
前記光源装置本体に装着された際に、前記コネクタ用孔に対応する位置に、前記コネクタが位置するよう構成されていることを特徴とする接続ユニット。
【請求項２】
前記光源装置本体に、前記内視鏡のライトコネクタが挿入されるライトガイド用孔が設けられ、
前記基板に、前記内視鏡のライトコネクタが挿入されるライトガイド用開口が設けられており、
前記光源装置本体に装着された際に、前記ライトガイド用孔に対応する位置に、前記ライトガイド用開口が位置するよう構成されている請求項１に記載の接続ユニット。
【請求項３】
前記接続ユニットの全体形状は板状である請求項１または２に記載の接続ユニット。
【請求項４】
前記接続部が前記基板に設けられている請求項１ないし３のいずれかに記載の接続ユニット。
【請求項５】
前記コネクタは、前記基板上にて、前記信号処理回路の近傍に位置している請求項１ないし４のいずれかに記載の接続ユニット。
【請求項６】
コネクタ用孔が設けられている光源装置本体と、この光源装置本体に着脱自在な接続ユニットとで構成され、
前記接続ユニットは、内視鏡に着脱自在に電気的に接続されるコネクタと、
このコネクタから入力される信号に所定の信号処理を施す信号処理回路と、
前記接続ユニットが前記光源装置本体に装着された状態で、該光源装置本体側の回路と前記信号処理回路とを電気的に接続する接続部とを有し、
前記コネクタと前記信号処理回路とが同一の基板に設けられており、
前記接続ユニットを前記光源装置本体に装着した際に、前記コネクタ用孔に対応する位置に、前記コネクタが位置するよう構成されていることを特徴とする光源装置。
【請求項７】
前記光源装置本体に、前記内視鏡のライトコネクタが挿入されるライトガイド用孔が設けられ、
前記基板に、前記内視鏡のライトコネクタが挿入されるライトガイド用開口が設けられており、
前記接続ユニットを前記光源装置本体に装着した際に、前記ライトガイド用孔に対応する位置に、前記ライトガイド用開口が位置するよう構成されている請求項６に記載の光源装置。
【請求項８】
前記接続ユニットの全体形状は板状である請求項６または７に記載の光源装置。
【請求項９】
前記接続部が前記基板に設けられている請求項６ないし８のいずれかに記載の光源装置。
【請求項１０】
前記コネクタは、前記基板上にて、前記信号処理回路の近傍に位置している請求項６ないし９のいずれかに記載の光源装置。
【請求項１１】
前記信号処理の内容が異なる複数の前記接続ユニットが用意されており、
前記光源装置本体には、前記コネクタに接続する内視鏡に対応した信号処理を行う信号処理回路が設けられた単一の接続ユニットが選択的に装着される請求項６ないし１０のいずれかに記載の光源装置。
【請求項１２】
前記光源装置本体に装着された接続ユニットに対応する設定が、前記光源装置本体側で自動的になされるよう構成されている請求項１１に記載の光源装置。
【請求項１３】
前記複数種の接続ユニットには、モノクロ面順次撮像方式に対応した接続ユニットと、カラー単板撮像方式に対応した接続ユニットとが含まれる請求項１１または１２に記載の光源装置。
【請求項１４】
前記接続ユニットの装着の有無を検出する検出手段を有する請求項６ないし１３のいずれかに記載の光源装置。
【請求項１５】
前記検出手段は、前記接続ユニットと前記光源装置本体との電気的な接続を検出する請求項１４に記載の光源装置。
【発明の詳細な説明】
【０００１】
【発明の属する技術分野】
本発明は、内視鏡装置の接続ユニットおよび光源装置に関する。
【０００２】
【従来の技術】
従来、例えば医療の分野では、消化管等の検査や診断に電子内視鏡装置が使用されている。
【０００３】
この電子内視鏡装置は、光源装置と、この光源装置に着脱自在に装着（接続）され、撮像素子（ＣＣＤイメージセンサ）を備えた内視鏡（スコープ）とで構成されており、例えば、撮像素子の種類や画素数が異なるもの、撮像方式が異なるもの（例えば、モノクロ（白黒）面順次撮像方式、カラー単板撮像方式）、信号処理方式が異なるもの等、その種類も様々である。使用の際は、内視鏡を対応する光源装置に装着する。
【０００４】
しかしながら、前述したように、内視鏡には様々な種類のものが存在するので、これらに対応するには、従来の電子内視鏡装置では、内視鏡に応じた複数の光源装置を用意する必要がある。
【０００５】
例えば、白黒面順次撮像方式の内視鏡を使用する場合は、モノクロ面順次撮像方式の光源装置、すなわち、モノクロ面順次撮像方式の内視鏡用のスコープコネクタおよび信号処理回路や、モノクロ面順次撮像方式に必要なＲＧＢ回転フィルタ等の所定の機構を備えた光源装置を用意し、この光源装置に前記内視鏡を装着する必要がある。
【０００６】
【発明が解決しようとする課題】
本発明の目的は、様々な内視鏡に対応することができ、構造が簡易で、かつ不要輻射を低減することができる接続ユニットおよび光源装置を提供することにある。
【０００７】
【課題を解決するための手段】
このような目的は、下記（１）〜（１５）の本発明により達成される。
【０００８】
（１）  コネクタ用孔が設けられている光源装置本体に着脱可能であり、
内視鏡に着脱自在に電気的に接続されるコネクタと、このコネクタから入力される信号に所定の信号処理を施す信号処理回路と、前記光源装置本体に装着された状態で、該光源装置本体側の回路と前記信号処理回路とを電気的に接続する接続部とを有し、
前記コネクタと前記信号処理回路とが同一の基板に設けられており、
前記光源装置本体に装着された際に、前記コネクタ用孔に対応する位置に、前記コネクタが位置するよう構成されていることを特徴とする接続ユニット。
【０００９】
（２）  前記光源装置本体に、前記内視鏡のライトコネクタが挿入されるライトガイド用孔が設けられ、
前記基板に、前記内視鏡のライトコネクタが挿入されるライトガイド用開口が設けられており、
前記光源装置本体に装着された際に、前記ライトガイド用孔に対応する位置に、前記ライトガイド用開口が位置するよう構成されている上記（１）に記載の接続ユニット。
【００１０】
（３）  前記接続ユニットの全体形状は板状である上記（１）または（２）に記載の接続ユニット。
【００１１】
（４）  前記接続部が前記基板に設けられている上記（１）ないし（３）のいずれかに記載の接続ユニット。
【００１２】
（５）  前記コネクタは、前記基板上にて、前記信号処理回路の近傍に位置している上記（１）ないし（４）のいずれかに記載の接続ユニット。
【００１３】
（６）  コネクタ用孔が設けられている光源装置本体と、この光源装置本体に着脱自在な接続ユニットとで構成され、
前記接続ユニットは、内視鏡に着脱自在に電気的に接続されるコネクタと、
このコネクタから入力される信号に所定の信号処理を施す信号処理回路と、
前記接続ユニットが前記光源装置本体に装着された状態で、該光源装置本体側の回路と前記信号処理回路とを電気的に接続する接続部とを有し、
前記コネクタと前記信号処理回路とが同一の基板に設けられており、
前記接続ユニットを前記光源装置本体に装着した際に、前記コネクタ用孔に対応する位置に、前記コネクタが位置するよう構成されていることを特徴とする光源装置。
【００１４】
（７）  前記光源装置本体に、前記内視鏡のライトコネクタが挿入されるライトガイド用孔が設けられ、
前記基板に、前記内視鏡のライトコネクタが挿入されるライトガイド用開口が設けられており、
前記接続ユニットを前記光源装置本体に装着した際に、前記ライトガイド用孔に対応する位置に、前記ライトガイド用開口が位置するよう構成されている上記（６）に記載の光源装置。
【００１５】
（８）  前記接続ユニットの全体形状は板状である上記（６）または（７）に記載の光源装置。
【００１６】
（９）  前記接続部が前記基板に設けられている上記（６）ないし（８）のいずれかに記載の光源装置。
【００１７】
（１０）  前記コネクタは、前記基板上にて、前記信号処理回路の近傍に位置している上記（６）ないし（９）のいずれかに記載の光源装置。
【００１８】
（１１）  前記信号処理の内容が異なる複数の前記接続ユニットが用意されており、
前記光源装置本体には、前記コネクタに接続する内視鏡に対応した信号処理を行う信号処理回路が設けられた単一の接続ユニットが選択的に装着される上記（６）ないし（１０）のいずれかに記載の光源装置。
【００１９】
（１２）  前記光源装置本体に装着された接続ユニットに対応する設定が、前記光源装置本体側で自動的になされるよう構成されている上記（１１）に記載の光源装置。
【００２０】
（１３）  前記複数種の接続ユニットには、モノクロ面順次撮像方式に対応した接続ユニットと、カラー単板撮像方式に対応した接続ユニットとが含まれる上記（１１）または（１２）に記載の光源装置。
（１４）  前記接続ユニットの装着の有無を検出する検出手段を有する上記（６）ないし（１３）のいずれかに記載の光源装置。
（１５）  前記検出手段は、前記接続ユニットと前記光源装置本体との電気的な接続を検出する上記（１４）に記載の光源装置。
【００２１】
【発明の実施の形態】
以下、本発明の接続ユニットおよび光源装置を添付図面に示す好適実施形態に基づいて詳細に説明する。
【００２２】
図１は、本発明の光源装置（光源装置本体および接続ユニット）の実施形態を示す斜視図であり、また、図２は、本発明の光源装置の実施形態の主要部を示す断面図であり、光源装置に内視鏡が装着された状態を示す。
【００２３】
これらの図に示すように、電子内視鏡装置（内視鏡装置）１００は、光源装置１と、光源装置１に着脱自在の内視鏡（スコープ）２とを有している。
【００２４】
光源装置１は、内視鏡２へ照明光を供給する光源を備えた光源装置本体（外部装置）１０と、光源装置本体１０に着脱自在の初段信号処理回路基板（全体形状が板状の接続ユニット）３とで構成されている。光源装置本体１０には、所定の入力等を行うキーボード５０が着脱自在に電気的に接続されている。
【００２５】
光源装置本体１０の前面（図１中正面）には、各種キーやスイッチが設けられたフロントパネルスイッチ７３と、内視鏡２を光源装置１に装着する際、内視鏡２の後述するスコープコネクタ（内視鏡側スコープコネクタ）４１が挿入されるコネクタ用孔（孔部）５と、内視鏡２を光源装置１に装着する際、内視鏡２の後述するライトコネクタ４２が挿入されるライトガイド用孔（孔部）７とが、それぞれ設けられている。コネクタ用孔５と、ライトガイド用孔７は、図１および図２中上下方向に並んでいる。
【００２６】
この光源装置１では、様々な内視鏡２に対応し得るように、初段信号処理回路基板３が交換可能となっており、光源装置本体１０の図１中左側の側面部には、この初段信号処理回路基板３を交換（着脱）する際に開閉される初段信号処理回路交換用扉５２が設けられている。
【００２７】
図３に示すように、初段信号処理回路基板３は、基板３８を有し、その基板３８には、内視鏡２に設けられた後述する撮像素子（ＣＣＤイメージセンサ）からの信号に対して所定の初段の信号処理を施す回路や、光源装置本体１０側の後述するタイミングコントロール回路と内視鏡２に設けられた後述する撮像素子用ドライバ回路とを導通させるパターン等を備えた初段信号処理回路１１と、所定の情報が記憶（記録）されているＲＯＭ（不揮発性メモリ）１２と、この初段信号処理回路基板３と光源装置本体１０との電気的接続を図るためのカードエッジ（接続部）１３とが設けられている。なお、カードエッジ１３は、初段信号処理回路基板３の所定の回路に電気的に接続されている。
【００２８】
前記カードエッジ１３は、基板３８上にて、初段信号処理回路１１の近傍に位置している。これにより、カードエッジ１３と初段信号処理回路１１とを導通させるパターンや導電線の長さ（結線距離）を短くすることができ、これによりノイズを低減することができる。
【００２９】
ＲＯＭ１２には、例えば、初段信号処理回路基板３のＩＤ番号、この初段信号処理回路基板３に対応する内視鏡２の型式（スコープ型式）に関する情報、この初段信号処理回路基板３に対応する撮像方式に関する情報（例えば、モノクロ（白黒）面順次撮像方式やカラー単板撮像方式、ＲＧＢ回転フィルタの有無）等、初段信号処理回路基板３およびそれに関連する情報が記憶されている。
【００３０】
また、初段信号処理回路基板３の基板３８には、初段信号処理回路基板３を光源装置本体１０に装着した際に、光源装置本体１０のコネクタ用孔５およびライトガイド用孔７に対応する位置に、それぞれ、この初段信号処理回路基板３と内視鏡２との電気的接続を図るための円柱状のスコープコネクタ（プロセッサ側スコープコネクタ）１４および内視鏡２を光源装置１に装着する際、内視鏡２の後述するライトコネクタ４２が挿入されるライトガイド用開口１５が設けられている。この場合、ライトガイド用開口１５は、スコープコネクタ１４の近傍に配置されている。初段信号処理回路基板３を光源装置本体１０に装着すると、コネクタ用孔５を介して外部とスコープコネクタ１４とが連通するとともに、ライトガイド用孔７を介して外部とライトガイド用開口１５とが連通する。なお、スコープコネクタ１４は、初段信号処理回路基板３の所定の回路に電気的に接続されている。
【００３１】
前記スコープコネクタ１４は、基板３８上にて、初段信号処理回路１１の近傍に位置している。これにより、スコープコネクタ１４と初段信号処理回路１１とを導通させるパターンや導電線の長さ（結線距離）を短くすることができ、これにより後述する不要輻射を低減（または防止）することができる。
【００３２】
さらに詳しくは、前記モノクロ面順次撮像方式に対応する初段信号処理回路１１を有する初段信号処理回路基板３は、図４（ａ）に示すように構成されている。
【００３３】
スコープコネクタ１４は、複数のコネクタピン２１と、その中心部に設けられ、ＣＣＤイメージセンサからのモノクロ映像信号等を伝送するための１つの映像信号用同軸コネクタ２０とを備えている。前記コネクタピン２１は、前記モノクロ映像信号以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００３４】
また、ＲＯＭ１２には、初段信号処理回路１１がモノクロ面順次撮像方式用のものであることを示す情報等が記憶されている。なお、図３には、このモノクロ面順次撮像方式に対応する初段信号処理回路１１を有する初段信号処理回路基板３が示されている。
【００３５】
これに対して、前記カラー単板撮像方式に対応する初段信号処理回路１１を有する初段信号処理回路基板３は、図４（ｂ）に示すように構成されている。
【００３６】
スコープコネクタ１４は、複数のコネクタピン２１と、その中心部に設けられ、ＣＣＤイメージセンサからの輝度信号（Ｙ）および２つの色差信号（Ｒ−Ｙ、Ｂ−Ｙ）をそれぞれ伝送するための３つの映像信号用同軸コネクタ２２とを備えている。前記コネクタピン２１は、前記輝度信号（Ｙ）および２つの色差信号（Ｒ−Ｙ、Ｂ−Ｙ）以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００３７】
また、ＲＯＭ１２には、初段信号処理回路１１がカラー単板撮像方式用のものであることを示す情報等が記憶されている。
【００３８】
前記モノクロ面順次撮像方式に対応する初段信号処理回路１１を有する初段信号処理回路基板３およびカラー単板撮像方式に対応する初段信号処理回路１１を有する初段信号処理回路基板３のいずれにおいても、図３に示すように、円柱形状のスコープコネクタ１４の外周部には、リング状の溝２５がその外周に沿って設けられている。
【００３９】
図２および図１０に示すように、光源装置本体１０内には、初段信号処理回路基板３のカードエッジ１３が挿入（接続）されるコネクタ９０と、初段信号処理回路基板３のカードエッジ１３をコネクタ９０に導く溝が形成された一対の基板レールガイド４、４とが設けられている。
【００４０】
前記コネクタ９０は、後述するタイミングコントロール回路、画像メモリ、モータ制御回路、システムコントロール回路（制御手段）５６等、光源装置本体１０の所定の回路に電気的に接続されている。
【００４１】
初段信号処理回路基板３を基板レールガイド４に沿って移動させ、カードエッジ１３をコネクタ９０に挿入すると、カードエッジ１３とコネクタ９０とが電気的に接続して初段信号処理回路基板３と光源装置本体１０とが電気的に接続されると共に、初段信号処理回路基板３が光源装置本体１０に機械的に接続される。
【００４２】
図２に示すように、装置本体１０のフロントパネル１ａのコネクタ用孔５の背面側（光源装置本体１の内側）には、コネクタ受け（コネクタ支持部材）６が設けられている。
【００４３】
このコネクタ受け６の側面図、正面図および背面図をそれぞれ図５（ａ）、（ｂ）および（ｃ）に示す。
【００４４】
図５に示すように、コネクタ受け６は、初段信号処理回路基板３のスコープコネクタ１４を挿入可能な空間６ａが形成された略Ｕ字状のコネクタ挿入部３０を有しており、このコネクタ挿入部３０の空間６ａの内縁部（リブ３６）と、前記スコープコネクタ１４の外周部（溝２５）とが係合することにより、スコープコネクタ１４が光源装置本体１０に対して内視鏡２の着脱方向（図２および図５（ｂ）中横方向）に変位するのを阻止する。
【００４５】
すなわち、コネクタ受け６は、互いに平行になるように設けられた第１のガイド片３２および第２のガイド片３３と、第１および第２のガイド片３２、３３の図５（ａ）中右側に設けられた当接部３７とで構成された略Ｕ字状のコネクタ挿入部３０を有している。
【００４６】
当接部３７の空間６ａの内縁における図５（ａ）中右側の部分は半円状になっており、その曲率（後述するリブ３６を含まない部分の曲率）は、スコープコネクタ１４の外周最大部の曲率より若干小さい。すなわち、当接部３７の内径（後述するリブ３６を含まない部分の内径）は、スコープコネクタ１４の外径より若干大きい。
【００４７】
また、第１のガイド片３２と第２のガイド片３３の間隔（後述するリブ３６を含まない部分の間隔）は、スコープコネクタ１４の直径より若干大きい。
【００４８】
第１および第２のガイド片３２、３３および当接部３７の空間６ａの内縁部には、それぞれ、リブ（凸条）３６が形成されている。このリブ３６は、第１のガイド片３２の先端から第２のガイド片３３の先端まで連続的に形成されており、スコープコネクタ１４に設けられた溝２５と係合し得るようになっている。
【００４９】
図５（ｂ）中上下方向には、本実施例では、コネクタ受け６のリブ３６がスコープコネクタ１４の溝２５に遊びなく嵌合するようになっているが、若干の遊びがあってもよい。
【００５０】
また、図５（ｂ）中左右方向には、本実施例では、コネクタ受け６のリブ３６がスコープコネクタ１４の溝２５に遊びなく嵌合するようになっているが、若干の遊びがあってもよい。
【００５１】
また、第１および第２のガイド片３２、３３の先端部（図５（ａ）中左側の端部）の対向面には、それぞれ、図５に示すテーパ面３４が形成されている。すなわち、第１および第２のガイド片３２、３３の先端部（図５（ａ）中左側の端部）における第１のガイド片３２と第２のガイド片３３の間隔は、図５（ａ）中左側に向かって漸増している。
【００５２】
前記各テーパ面３４でガイド部が構成され、このガイド部により、初段信号処理回路基板３を光源装置本体１０に装着する際のスコープコネクタ１４の空間６ａへの挿入を円滑かつ確実に行うことができる。
【００５３】
また、コネクタ受け６には、当該コネクタ受け６を光源装置本体１０にネジ止めするための４つのネジ孔３１が設けられている。すなわち、コネクタ受け６は、図２に示すようにこれらのネジ孔３１を介してネジ３５により光源装置本体１０の内側に強固にネジ止めされる。
【００５４】
図２に示すように、内視鏡２は、接続部４０と、可撓性（柔軟性）を有する長尺物の図示しない内視鏡本体と、前記接続部４０と内視鏡本体とを接続する接続ケーブル（ユニバーサルケーブル）４３とを備えている。
【００５５】
接続部４０には、前記光源装置１との電気的接続を図るためのスコープコネクタ（内視鏡側スコープコネクタ）４１と、光源装置１との光学的接続を図るためのライトコネクタ４２とが設けられている。
【００５６】
図７に示すように、前記スコープコネクタ４１は、前記接続ケーブル４３等を介して、ＣＣＤイメージセンサ（撮像素子）６８や、撮像素子用ドライバ６９等の内視鏡２の所定の回路に電気的に接続されている。
【００５７】
図２および図７に示すように、前記ライトコネクタ４２は、その内部に、内視鏡２のライトガイド（ＬＣＢ：ライトケーブルバンドル）８の一方の端部を有している。このライトガイド８は、例えば、複数本の光ファイバーを束ねて形成されている。
【００５８】
図７に示すように、前記内視鏡本体の先端部には、照明系レンズ６６、撮像レンズ（対物レンズ）６７およびＣＣＤイメージセンサ（撮像素子）６８が設置されている。また、内視鏡本体の先端部には、前記ライトガイド８の他方の端部が位置している。
【００５９】
次に、電子内視鏡装置１００における初段信号処理回路基板３の着脱の際の作用（装着手順等）と、内視鏡２の着脱の際の作用（装着手順等）とをそれぞれ説明する。
【００６０】
この電子内視鏡装置１００において、光源装置１に内視鏡２を装着（接続）する場合、それに先立ち、装着する内視鏡２に応じた１つの初段信号処理回路基板３を選択する。
【００６１】
そして、図１に示すように、光源装置本体１０の初段信号処理回路交換用扉５２を開き、選択した初段信号処理回路基板３をカードエッジ１３側から光源装置本体１０内に挿入し、装着（接続）する。
【００６２】
光源装置本体１０に初段信号処理回路基板３を装着する場合、図２に示すように初段信号処理回路基板３の上端部３ａおよび下端部３ｂを基板レールガイド４に係合させ、初段信号処理回路基板３を光源装置本体１０側に押し込む。
【００６３】
これにより、初段信号処理回路基板３は、基板レールガイド４に沿って図１中矢印の方向（図１中右側）に移動する。そして、図６に示すように、途中で、初段信号処理回路基板３のスコープコネクタ１４がコネクタ受け６の空間６ａに挿入され、この際、コネクタ受け６のリブ３６がスコープコネクタ１４の溝２５に係合する。この場合、第１および第２のガイド片３２、３３の先端部にはテーパ面３４が形成されているので、スコープコネクタ１４は、このテーパ面３４に沿って、コネクタ受け６の空間６ａに導かれる。
【００６４】
そして、初段信号処理回路基板３は、基板レールガイド４に沿って、スコープコネクタ１４は、第１および第２のガイド片３２、３３に沿って、それぞれ、さらに図６中矢印の方向（図６中右側）に移動し、カードエッジ１３の先端部が図１０に示すコネクタ９０に当接した時点で、その移動（挿入）が一旦停止される。
【００６５】
この状態で、初段信号処理回路基板３に対してさらに挿入方向へ力を加えると、初段信号処理回路基板３のカードエッジ１３がコネクタ９０に電気的に接続されると共に、図６に示すように、スコープコネクタ１４がコネクタ受け６の当接部３７に当接し、初段信号処理回路基板３が光源装置本体１０に対して位置決めされる。
【００６６】
この後、初段信号処理回路交換用扉５２を閉じる。
【００６７】
また、光源装置本体１０から初段信号処理回路基板３を取り外す場合には、初段信号処理回路交換用扉５２を開き、初段信号処理回路基板３を光源装置本体１０から引き抜き、初段信号処理回路交換用扉５２を閉じる。
【００６８】
なお、初段信号処理回路基板３を装着する際と、初段信号処理回路基板３を取り外す際は、それぞれ、電源スイッチ（メインスイッチ）をオフする。
【００６９】
次に、このように初段信号処理回路基板３が装着された光源装置１に内視鏡２を装着（接続）する場合には、図２に示すように、その初段信号処理回路基板３に対応する内視鏡２の接続部４０を挟持し、スコープコネクタ４１を光源装置本体１０のコネクタ用孔５に挿入すると共に、ライトコネクタ４２をライトガイド用孔７に挿入して、接続部４０を図２に示す矢印Ａ方向（光源装置本体１０側）に押し込む。
【００７０】
これにより、スコープコネクタ４１およびライトコネクタ４２が、図２に示す矢印Ａ方向に移動し、スコープコネクタ４１とスコープコネクタ１４とが接続され、光源装置１と内視鏡２との電気的および機械的接続が図られる。また、ライトコネクタ４２が初段信号処理回路基板３のライトガイド用開口１５を貫通し、ライトコネクタ４２の先端部（図２中左側の端部）が光源装置本体１０内の所定の位置に位置し、これにより、光源装置本体１０内で形成された照明光をライトガイド８を介して内視鏡２の先端部まで導光可能となる。すなわち、光源装置１と内視鏡２とが光学的に接続される。
【００７１】
また、光源装置１から内視鏡２を取り外す場合には、内視鏡２の接続部４０を挟持し、その接続部４０を図２に示す矢印Ｂ方向側に引き抜く。
【００７２】
これにより、スコープコネクタ１４とスコープコネクタ４１との接続が外れ、スコープコネクタ４１がコネクタ用孔５から引き抜かれると共に、ライトコネクタ４２がライトガイド用孔７から引き抜かれる。
【００７３】
前述したように、この電子内視鏡装置１００では、図２に示すように、初段信号処理回路基板３に実装されたスコープコネクタ１４の溝２５が、光源装置本体１０に固定的に設置されたコネクタ受け６のリブ３６に係合している。このため、内視鏡２の着脱の際に、スコープコネクタ４１からスコープコネクタ１４に対して前記矢印Ａ方向または矢印Ｂ方向（内視鏡２の着脱方向）の力や衝撃が加わっても、コネクタ受け６により、スコープコネクタ１４が光源装置本体１０に対して矢印Ａ方向または矢印Ｂ方向に変位（姿勢の変更や移動等）するのが阻止され、これにより初段信号処理回路基板３が安定的に保持される（初段信号処理回路基板３の反りやたわみ等の変形を防止することができる）。
【００７４】
すなわち、スコープコネクタ１４がコネクタ受け６によって光源装置本体１０に対して直接支持されているので、内視鏡２の着脱の際に、スコープコネクタ４１からスコープコネクタ１４に加わる力や衝撃が初段信号処理回路基板３に伝わることがなく、このため、内視鏡２の着脱により初段信号処理回路基板３が変形して、初段信号処理回路基板３が破損したり、或いは初段信号処理回路基板３の回路パターンや実装部品の変形、剥離、初段信号処理回路基板３のカードエッジ１３と光源装置本体１０のコネクタ９０との接触不良等の不都合が生じるのを防止することができる。
【００７５】
次に、電子内視鏡装置１００の動作説明をする。
【００７６】
図７は、電子内視鏡装置１００の回路構成例を示すブロック図である。なお、図７中の初段信号処理回路交換用扉５２は、概念的に記載されているので、その位置は、図１とは一致していない。
【００７７】
同図に示すように、電子内視鏡装置１００の光源装置本体１０には、所定の入力を行うためのキーボード５０および観察部位の画像（電子画像）等の表示を行うモニター（表示手段）５１が、それぞれ電気的に接続されている。そして、この電子内視鏡装置１００は、前述したモノクロ面順次撮像方式に対応する初段信号処理回路基板３と、カラー単板撮像方式に対応する初段信号処理回路基板３とを備えており、これらの初段信号処理回路基板３を選択的に光源装置本体１０に装着することにより、モノクロ面順次撮像方式およびカラー単板撮像方式のいずれにも対応し得るようになっている。
【００７８】
図７に示すように、光源装置本体１０は、書き換え可能な不揮発性のメモリ５６１を内蔵したシステムコントロール回路（制御手段）５６を有している。
【００７９】
システムコントロール回路は、通常、マイクロコンピュータ（ＣＰＵ）で構成され、電子内視鏡装置１００全体の制御を行う。
【００８０】
また、図７および図１０に示すように、光源装置本体１０は、初段信号処理回路基板３の装着の有無を検出する基板検出器（検出器手段）５５を有している。
【００８１】
この基板検出器５５は、一端がコネクタ９０に電気的に接続され、他端に電圧Ｖが印加されているプルアップ抵抗５５１を有し、このプルアップ抵抗５５１の一端の電位（電圧）を検出する方式の検出器である。
【００８２】
初段信号処理回路基板３が光源装置本体１０に装着されていないとき（未装着時）は、基板検出器５５からシステムコントロール回路（制御手段）５６に入力される基板検出信号のレベル（電圧レベル）がハイレベル（Ｈ）になり、初段信号処理回路基板３が光源装置本体１０に装着されているとき（装着時）は、前記基板検出信号のレベルがローレベル（Ｌ）になる。システムコントロール回路５６は、前記基板検出信号に基づいて、初段信号処理回路基板３が光源装置本体１０に装着されているか否かを判別する。
【００８３】
初段信号処理回路基板３を光源装置本体１０に装着して、フロントパネルスイッチ７３の図示しない電源スイッチ（メインスイッチ）をオンすると、システムコントロール回路５６は、初段信号処理回路基板３のＲＯＭ１２に記憶されている情報のうちの必要な情報を読み出す。
【００８４】
システムコントロール回路５６は、前記ＲＯＭ１２から読み出した情報をメモリ５６１に記憶する。
【００８５】
この場合、既に、メモリ５６１に情報が記憶されているときは、前記メモリ５６１に記録されている情報と、前記ＲＯＭ１２から読み出した情報とを比較し、同じ場合には、前記メモリ５６１に記録されている情報を維持し、異なる場合には、前記メモリ５６１に記録されている情報を前記ＲＯＭ１２から読み出した情報に書き換える。
【００８６】
なお、初段信号処理回路基板３が別の基板に交換された場合には、前記メモリ５６１に記録されている情報と、前記ＲＯＭ１２から読み出した情報とが異なる。
【００８７】
まず、図７等に基づいて、カラー単板撮像方式に対応する初段信号処理回路１１を有する初段信号処理回路基板３が装着された場合の動作を説明する。
【００８８】
システムコントロール回路５６は、メモリ５６１から撮像方式に関する情報を読み出し、その情報に基づいて、装着されている初段信号処理回路基板３に対応する撮像方式等を把握する。
【００８９】
この場合、カラー単板撮像方式に対応する初段信号処理回路基板３が装着されているので、システムコントロール回路５６は、撮像方式を「カラー単板撮像方式」と把握し、カラー単板撮像方式用の設定を行う。
【００９０】
前記設定の一つとして、システムコントロール回路５６は、フィルタ移動機構７２を駆動制御して、モータ６２およびＲＧＢ回転フィルタ６３を、絞り６０からライトガイド８の一端に集光される光（光束）の光路から離間した所定の位置へ退避させる。
【００９１】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【００９２】
光源５７としては、例えば、ハロゲンランプ等を用いることができる。
【００９３】
光源５７から出射した光は、集光レンズ６４で集光され、絞り６０を介してライトコネクタ４２のライトガイド８の一端に照射される。
【００９４】
このライトガイド８の一端に照射された光は、ライトガイド８によりその他端に導かれ、その他端から照明系レンズ６６を介して被検体の所定の部位に照射される。
【００９５】
この場合、前記ライトガイド８の他端から出射した光は、照明系レンズ６６により、所定の照射範囲に照射されるように調整され、これにより撮像範囲（観察部位）を含む領域に照射される。
【００９６】
前記照射光により照射された撮像範囲からの反射光は、撮像レンズ６７により、所定のカラーフィルタを備えたＣＣＤイメージセンサ６８の受光面に結像するように導かれ、この撮像範囲の像（被写体像）は、そのＣＣＤイメージセンサ６８により撮像される。
【００９７】
ＣＣＤイメージセンサ６８は、タイミングコントロール回路６５からの撮像素子駆動信号に基づいて駆動する撮像素子用ドライバ回路６９により駆動制御され、所定のタイミングで撮像して、輝度信号（Ｙ）および２つの色差信号（Ｒ−Ｙ、Ｂ−Ｙ）をそれぞれ生成する。
【００９８】
ＣＣＤイメージセンサ６８からの輝度信号（Ｙ）および各色差信号（Ｒ−Ｙ、Ｂ−Ｙ）は、それぞれ、信号線（ＣＣＤケーブル）、スコープコネクタ４１および１４を介して初段信号処理回路１１に入力される。
【００９９】
カラー単板撮像方式に対応する初段信号処理回路１１は、図８に示す構成となっており、ＣＣＤイメージセンサ６８からの輝度信号（Ｙ）、色差信号（Ｒ−Ｙ）および色差信号（Ｂ−Ｙ）は、それぞれ、各信号用のプリアンプ７５ａ、７５ｂおよび７５ｃにより所定の利得で増幅され、各信号用のビデオフィルタ７６ａ、７６ｂおよび７６ｃによりフィルタリング処理され、マトリクス回路７７に入力される。
【０１００】
マトリクス回路７７は、コンポジット映像信号として供給される各信号を、Ｒ（赤）、Ｇ（緑）、Ｂ（青）のコンポーネント映像信号に変換して出力する。
【０１０１】
マトリクス回路７７からのＲ信号、Ｇ信号およびＢ信号は、それぞれ、各信号用のアンプ７８Ｒ、７８Ｇおよび７８Ｂにより所定の利得で増幅され、各信号用のガンマ補正回路７９Ｒ、７９Ｇおよび７９Ｂにより補正され、Ａ／Ｄ変換器８０に入力される。
【０１０２】
Ａ／Ｄ変換器８０は、アナログの信号形態で供給されたＲ信号、Ｇ信号およびＢ信号を、それぞれ、デジタルの信号形態に変換し、これらをそれぞれ図７に示すタイミングコントロール回路６５に出力する。
【０１０３】
タイミングコントロール回路６５は、Ｒ信号、Ｇ信号およびＢ信号を、それぞれ、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１０４】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１０５】
モニター５１には、ＣＣＤイメージセンサ６８で撮像されたカラーの画像（電子画像）、すなわち、カラーの動画の内視鏡画像が表示される。
【０１０６】
なお、後段映像信号処理回路７１は、色バランス（主にＲとＢ）を調整する機能を有する。この色バランスは、フロントパネルスイッチ７３の色バランス調整スイッチを操作して、所望の値に設定することができる。
【０１０７】
また、後段映像信号処理回路７１は、所定の情報をモニター５１に表示する機能を有しており、モニター５１には、必要に応じて所定の情報（例えば、初段信号処理回路基板３のＲＯＭ１２に記憶されている情報、キーボード５０から入力したキャラクタ、警告等）が表示される。
【０１０８】
また、画像メモリ７０に書き込まれている同一画像のＲ信号、Ｇ信号およびＢ信号を、それぞれ、繰り返し読み出して後段映像信号処理回路７１に出力することにより、モニター５１に表示される内視鏡画像を静止画にすることも可能である。
【０１０９】
次に、図７等に基づいて、モノクロ面順次撮像方式に対応する初段信号処理回路１１を有する初段信号処理回路基板３が装着された場合の動作を説明する。
【０１１０】
システムコントロール回路５６は、メモリ５６１から撮像方式に関する情報を読み出し、その情報に基づいて、装着されている初段信号処理回路基板３に対応する撮像方式等を把握する。
【０１１１】
この場合、モノクロ面順次撮像方式に対応する初段信号処理回路基板３が装着されているので、システムコントロール回路５６は、撮像方式を「モノクロ面順次撮像方式」と把握し、モノクロ面順次撮像方式用の設定を行う。
【０１１２】
前記設定の一つとして、システムコントロール回路５６は、フィルタ移動機構７２を駆動制御して、モータ６２およびＲＧＢ回転フィルタ６３を図７に示す位置、すなわち、絞り６０からライトガイド８の一端に集光される光（光束）の光路上にＲＧＢ回転フィルタ６３が位置する位置に移動させる。
【０１１３】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【０１１４】
光源５７から出射した光は、集光レンズ６４で集光され、絞り６０およびＲＧＢ回転フィルタ６３を介してライトコネクタ４２のライトガイド８の一端に照射される。
【０１１５】
一方、タイミングコントロール回路６５からモータ制御回路６１に所定の周波数のタイミングパルスが入力される。モータ制御回路６１は、このタイミングパルスのタイミングで、回転軸にＲＧＢ回転フィルタ６３が設置されているモータ６２を回転駆動する。例えば、タイミングパルスの周波数が３０Ｈｚの場合には、モータ制御回路６１は、モータ６２、すなわちＲＧＢ回転フィルタ６３を、１秒間に３０回転させる。
【０１１６】
また、ＲＧＢ回転フィルタ６３の全フィルタ領域は、その中心から放射状に伸びる３本の直線により、扇状の３つの領域を形成するように３等分割されている。前記各フィルタ領域には、それぞれ、赤色の光のみを透過させるＲ（赤）用色フィルタ、緑色の光のみを透過させるＧ（緑）用色フィルタ、青色の光のみを透過させるＢ（青）用色フィルタが設けられている。
【０１１７】
従って、モータ６２が前記タイミングパルスに基づいて回転駆動されることにより、ＲＧＢ回転フィルタ６３によって、絞り６０からの白色光が、前記タイミングパルスの周波数で、順次、赤色光、緑色光および青色光に変換され、ライトガイド８の一端に照射される。例えば、タイミングパルスの周波数が３０Ｈｚの場合には、１秒間に、赤色光、緑色光および青色光が、それぞれ、ライトガイド８の一端に３０回照射される。
【０１１８】
このライトガイド８の一端に照射された光は、ライトガイド８によりその他端に導かれ、その他端から照明系レンズ６６を介して被検体の所定の部位に照射される。
【０１１９】
この場合、前記ライトガイド８の他端から出射した光は、照明系レンズ６６により、所定の照射範囲に照射されるように調整され、これにより撮像範囲（観察部位）を含む領域に照射される。
【０１２０】
前記照射光により照射された撮像範囲からの反射光は、撮像レンズ６７により、カラーフィルタを備えていないＣＣＤイメージセンサ６８の受光面に結像するように導かれ、この撮像範囲の像（被写体像）は、そのＣＣＤイメージセンサ６８により撮像される。
【０１２１】
ＣＣＤイメージセンサ６８は、タイミングコントロール回路６５からの撮像素子駆動信号に基づいて駆動する撮像素子用ドライバ回路６９により駆動制御され、所定のタイミングで撮像して、モノクロ映像信号を生成する。
【０１２２】
この撮像は、赤色光、緑色光および青色光が照射されているときに、各々行われ、赤色光に対応するモノクロ映像信号（Ｒ信号）、緑色光に対応するモノクロ映像信号（Ｇ信号）および青色光に対応するモノクロ映像信号（Ｂ信号）が順次生成される。例えば、タイミングパルスの周波数が３０Ｈｚの場合には、１秒間に、９０回撮像が行われる。
【０１２３】
ＣＣＤイメージセンサ６８からのモノクロ映像信号は、信号線（ＣＣＤケーブル）、スコープコネクタ４１および１４を介して初段信号処理回路１１に入力される。
【０１２４】
モノクロ面順次撮像方式に対応する初段信号処理回路１１は、図９に示す構成となっており、ＣＣＤイメージセンサ６８からのモノクロ映像信号は、プリアンプ８１により所定の利得で増幅され、ビデオフィルタ８２によりフィルタリング処理され、サンプルホールド回路（Ｓ／Ｈ回路）８３に入力される。
【０１２５】
サンプルホールド回路８３は、いわゆる相関二重サンプリング法に基づいてモノクロ映像信号をサンプリング処理することにより、そのモノクロ映像信号からノイズ成分を除去して出力する。
【０１２６】
サンプルホールド回路８３からのモノクロ映像信号は、アンプ８４により所定の利得で増幅され、ガンマ補正回路８５により補正され、Ａ／Ｄ変換器８６に入力される。
【０１２７】
Ａ／Ｄ変換器８６は、アナログの信号形態で供給されたモノクロ映像信号をデジタルの信号形態に変換し、これを図７に示すタイミングコントロール回路６５に出力する。
【０１２８】
タイミングコントロール回路６５は、赤色光に対応するモノクロ映像信号（Ｒ信号）、緑色光に対応するモノクロ映像信号（Ｇ信号）および青色光に対応するモノクロ映像信号（Ｂ信号）を、順次、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１２９】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１３０】
モニター５１には、ＣＣＤイメージセンサ６８で撮像されたカラーの画像（電子画像）、すなわち、カラーの動画の内視鏡画像が表示される。
【０１３１】
なお、前記カラー単板撮像方式に対応する初段信号処理回路基板３が装着された場合と同様に、モニター５１に表示される内視鏡画像を静止画にすることも可能であり、また、モニター５１には、必要に応じて所定の情報が表示される。
【０１３２】
以上説明したように、この光源装置１によれば、初段信号処理回路基板３を交換することができるので（複数種の初段信号処理回路基板３を選択的に装着することができるので）、単一の光源装置本体１０で（光源装置全体を交換することなく）、カラー単板撮像方式およびモノクロ面順次撮像方式の両方に対応することができる。
【０１３３】
また、将来、規格、仕様、設計等の変更があった場合、例えば、ＣＣＤイメージセンサ６８の画素数が変更された場合や、信号処理方式が変更された場合（例えば、モノクロ面順次撮像方式に対応する初段信号処理回路１１のサンプルホールド回路８３が光源装置１側から内視鏡２側に移動した場合）でも、光源装置本体１０を変更せずに、初段信号処理回路基板３のみを変更することにより、それらに対応することができる。
【０１３４】
すなわち、単一の光源装置本体１０で、例えば、内視鏡２の接続ケーブル４３の長さの異なるもの、ＣＣＤイメージセンサ６８の種類や画素数が異なるもの、撮像方式が異なるもの（例えば、モノクロ面順次撮像方式、カラー単板撮像方式）、信号処理方式が異なるもの等、種々の内視鏡２に対応することができる。
【０１３５】
また、この光源装置１では、可能な限り、回路や機構（部品）を共用しているので、構成を簡素化することができ、また、装置の小型化に有利である。
【０１３６】
また、初段信号処理回路とスコープコネクタとを別々の基板に設け、これらを導電線等の接続ケーブルにより電気的に接続した接続ユニットの場合には、前記接続ケーブルが比較的長くなり、この接続ケーブルと内視鏡の信号線とがアンテナとなり、そこから電磁波（ノイズ）が放出される不要輻射を生じてしまい、これにより周辺の電子機器（例えば、医療機器等）に影響を及ぼすおそれが生じるが、この光源装置１では、初段信号処理回路１１が設けられた基板３８にスコープコネクタ１４が実装されているので、スコープコネクタ１４と初段信号処理回路１１との距離を比較的短くすることができ、スコープコネクタ１４と初段信号処理回路１１とを導通させるパターンや導電線の長さを比較的短くすることができ、これにより、前記のような不要輻射を低減（または防止）することができる。特に、スコープコネクタ１４と初段信号処理回路１１とを極力接近させることにより、前記導通パターンや導電線の長さを最短にすることができ、これにより、より一層高い効果が得られる。また、別の機器から不要輻射が生じた場合に、その不要輻射により光源装置１が影響を受けるのを防止することができる。
【０１３７】
また、この光源装置１は、前記初段信号処理回路とスコープコネクタとを接続ケーブルにより電気的に接続した接続ユニットの場合に比べ、構造が簡易であり、小型化が図れ、また、部品点数が少なく、製造が容易である。
【０１３８】
また、この光源装置１では、光源装置本体１０に装着された初段信号処理回路基板３に対応する設定が自動的になされるので、その操作を手動で行う場合に比べ、設定を容易かつ確実に行うことができる。
【０１３９】
以上、本発明の接続ユニットおよび光源装置を図示の実施の形態に基づいて説明したが、本発明はこれに限定されるものではなく、各部の構成は、同様の機能を有する任意の構成のものに置換することができる。
【０１４０】
本発明では、前記実施の形態のような医療用の内視鏡装置に限らずこの他、例えば、工業用の内視鏡装置等にも適用することができる。
【０１４１】
また、本発明では、光源装置本体に装着される初段信号処理回路基板（接続ユニット）は、前記実施の形態のような撮像方式（カラー単板撮像方式やモノクロ面順次撮像方式）に対応する初段信号処理回路基板には限られない。
【０１４２】
また、前記実施の形態では、スコープコネクタ１４の径や形状が同一であるが、本発明では、スコープコネクタ１４の径や形状が異なっていてもよい。
【０１４３】
また、前記実施の形態では、スコープコネクタ１４の形状は、円柱状であるが、本発明では、スコープコネクタ１４の形状は、これに限らず、例えば、四角柱等の角柱状であってもよい。
【０１４４】
また、前記実施の形態では、光源装置１に装着される内視鏡２が電子内視鏡（ビデオスコープ）であるが、本発明では、光源装置１に装着される内視鏡２がファイバー内視鏡（ファイバースコープ）であってもよく、また、光源装置１に電子内視鏡とファイバー内視鏡とをそれぞれ装着し得るように構成されていてもよい。
【０１４５】
また、本発明では、設定の一部または全部を手動操作で行うように構成してもよい。
【０１４６】
【発明の効果】
以上説明したように、本発明の接続ユニットおよび光源装置によれば、接続ユニットを交換することができるので、光源装置全体を交換することなく、様々な内視鏡に対応することができる。すなわち、単一の光源装置本体で、例えば、撮像素子（ＣＣＤイメージセンサ）の種類や画素数が異なるもの、撮像方式が異なるもの（例えば、モノクロ面順次撮像方式、カラー単板撮像方式）、信号処理方式が異なるもの等、種々の内視鏡に対応することができる。この場合、現存の内視鏡はもちろんのこと、将来、規格、仕様、設計等の変更があったときでも、それに容易に対応することができる。
【０１４７】
また、信号処理回路とコネクタとを別々の基板に設け、これらを導電線等の接続ケーブルにより電気的に接続した接続ユニットの場合には、前記接続ケーブルが比較的長くなり、この接続ケーブルと内視鏡の信号線とがアンテナとなり、そこから電磁波（ノイズ）が放出される不要輻射を生じてしまうおそれがあるが、本発明では、信号処理回路が設けられた基板にコネクタが実装されているので、コネクタと信号処理回路との距離を比較的短くすることができ、コネクタと信号処理回路とを導通させるパターンや導電線の長さを比較的短くすることができ、これにより、前記のような不要輻射を低減（または防止）することができる。
【０１４８】
また、本発明によれば、前記信号処理回路とコネクタとを接続ケーブルにより電気的に接続した接続ユニットの場合に比べ、構造が簡易であり、小型化が図れ、また、部品点数が少なく、製造が容易である。
【図面の簡単な説明】
【図１】本発明の光源装置（光源装置本体および接続ユニット）の実施形態を示す斜視図である。
【図２】本発明の光源装置の実施形態の主要部（光源装置に内視鏡が装着された状態）を示す断面図である。
【図３】本発明の初段信号処理回路基板の実施形態を示す斜視図である。
【図４】モノクロ面順次撮像方式に対応する初段信号処理回路基板およびカラー単板撮像方式に対応する初段信号処理回路基板の構成例を示す側面図である。
【図５】本発明におけるコネクタ受けの構成例を示す側面図、正面図および背面図である。
【図６】本発明における初段信号処理回路基板に設けられたスコープコネクタと、光源装置本体に設けられたコネクタ受けとが係合した状態を示す図である。
【図７】本発明における内視鏡装置の回路構成例を示すブロック図である。
【図８】本発明におけるカラー単板撮像方式に対応する初段信号処理回路の構成例を示すブロック図である。
【図９】本発明におけるモノクロ面順次撮像方式に対応する初段信号処理回路の構成例を示すブロック図である。
【図１０】本発明における光源装置本体に設けられたコネクタと、初段信号処理回路基板と、基板検出器とを示す図である。
【符号の説明】
１          光源装置
１ａ        フロントパネル
１０        光源装置本体
２          内視鏡
３          初段信号処理回路基板
３ａ        上端部
３ｂ        下端部
４          基板レールガイド
５          コネクタ用孔
６          コネクタ受け
６ａ        空間
７          ライトガイド用孔
８          ライトガイド
１１        初段信号処理回路
１２        ＲＯＭ
１３        カードエッジ
１４        スコープコネクタ
１５        ライトガイド用開口
２０        映像信号用同軸コネクタ
２１        コネクタピン
２２        映像信号用同軸コネクタ
２５        溝
３０        コネクタ挿入部
３１        ネジ孔
３２        第１のガイド片
３３        第２のガイド片
３４        テーパ面
３５        ネジ
３６        リブ
３７        当接部
３８        基板
４０        接続部
４１        スコープコネクタ
４２        ライトコネクタ
４３        接続ケーブル
５０        キーボード
５１        モニター
５２        初段信号処理回路交換用扉
５５        基板検出器
５５１      プルアップ抵抗
５６        システムコントロール回路
５６１      メモリ
５７        光源
５８        モータ制御回路
５９        モータ
６０        絞り
６１        モータ制御回路
６２        モータ
６３        ＲＧＢ回転フィルタ
６４        集光レンズ
６５        タイミングコントロール回路
６６        照明系レンズ
６７        撮像レンズ
６８        ＣＣＤイメージセンサ
６９        撮像素子用ドライバ回路
７０        画像メモリ
７１        後段映像信号処理回路
７２        フィルタ移動機構
７３        フロントパネルスイッチ
７５ａ、７５ｂ、７５ｃ  プリアンプ
７６ａ、７６ｂ、７６ｃ  ビデオフィルタ
７７        マトリクス回路
７８Ｒ、７８Ｇ、７８Ｂ  アンプ
７９Ｒ、７９Ｇ、７９Ｂ  ガンマ補正回路
８０        Ａ／Ｄ変換器
８１        プリアンプ
８２        ビデオフィルタ
８３        サンプルホールド回路
８４        アンプ
８５        ガンマ補正回路
８６        Ａ／Ｄ変換器
９０        コネクタ
１００      電子内視鏡装置
【図１】
0003641380.tif 000002
【図２】
0003641380.tif 000003
【図３】
0003641380.tif 000004
【図４】
0003641380.tif 000005
【図５】
0003641380.tif 000006
【図６】
0003641380.tif 000007
【図７】
0003641380.tif 000008
【図８】
0003641380.tif 000009
【図９】
0003641380.tif 000010
【図１０】
0003641380.tif 000011